(57)【要約】【課題】  建造物に含まれる施設、入居者の情報を容易に認識可能にする。【解決手段】  建造物毎に形状を表す座標列、高さ情報、詳細情報とを有する建造物形状地図情報を記憶する記憶手段と、記憶された建造物形状地図情報に基づいて建造物形状地図を表示する建造物形状地図表示制御手段と、表示された建造物形状地図上の建造物を指定する建造物指定手段と、指定された建造物の前記詳細情報から建造物に含まれる施設の名称を読み出して読み出された施設の名称リストを作成し、画面分割して一方の画面に名称リストを、他方の画面に指定された建造物を含む建造物形状地図を表示する表示処理手段と、表示処理手段により一方の画面に表示された名称リストから施設の名称を選択する選択手段とを備え、表示処理手段は、選択された施設が建造物において存在する階を文字表示する。【選択図】      図１６
2005099860.tif 000002
【特許請求の範囲】
【請求項１】
建造物毎に形状を表す座標列、高さ情報、詳細情報とを有する建造物形状地図情報を記憶する記憶手段と、
該記憶手段に記憶された建造物形状地図情報に基づいて建造物形状地図を表示する建造物形状地図表示制御手段と、
該表示された建造物形状地図上の建造物を指定する建造物指定手段と、
該建造物指定手段により指定された建造物の前記詳細情報から該建造物に含まれる施設の名称を読み出して読み出された施設の名称リストを作成し、画面分割して一方の画面に名称リストを、他方の画面に指定された建造物を含む建造物形状地図を表示する表示処理手段と、
前記表示処理手段により一方の画面に表示された名称リストから施設の名称を選択する選択手段とを備え、
前記表示処理手段は、前記選択手段により選択された施設が建造物において存在する階を文字表示することを特徴とする建造物形状地図による情報案内装置。
【請求項２】
建造物毎に形状を表す座標列、高さ情報、詳細情報とを有する建造物形状地図情報を記憶する記憶手段と、
該記憶手段に記憶された建造物形状地図情報に基づいて建造物形状地図を表示する建造物形状地図表示制御手段と、
該表示された建造物形状地図上の建造物を指定する建造物指定手段と、
該指定された建造物の詳細情報を読み出し、建造物に含まれる施設が複数の場合には、建造物に含まれる複数の施設の名称リストを作成して表示し、建造物に含まれる施設が１つの場合には、該施設の名称、電話番号、住所を表示する表示処理手段を有することを特徴とする建造物形状地図による情報案内装置。
【請求項３】
前記名称リストから施設の名称を選択する選択手段とを備え、
前記表示処理手段は、選択された施設の名称、電話番号、住所を表示することを特徴とする請求項２記載の情報案内装置。
【請求項４】
建造物毎に形状を表す座標列、高さ情報、詳細情報とを有する建造物形状地図情報を記憶する記憶手段と、
該記憶手段に記憶された建造物形状地図情報に基づいて建造物形状地図を表示する建造物形状地図表示制御手段と、
該表示された建造物形状地図上の建造物を指定する建造物指定手段と、
前記記憶手段に記憶された高さ情報に基づいて、指定された建造物を立体表示する立体表示制御手段と、
前記立体表示された建造物において階を選択する選択手段と、
該選択された階全体を立体表示された建造物において強調表示するとともに、前記詳細情報から該選択された階に含まれる施設の名称を読み出して読み出された施設の名称リストを作成して、名称リストを表示する表示処理手段を有することを特徴とする建造物形状地図による情報案内装置。
【発明の詳細な説明】
【技術分野】
【０００１】
本発明は、座標列により建造物の形状を表示した建造物形状地図上において設定した建造物の表示形態を変化させて、当該施設を識別できるようにした建造物形状地図による情報案内装置に関する。
【背景技術】
【０００２】
地図を表示して地図上から種々の案内を行う場合、従来、目的とする施設等の建造物に対して旗印、丸印等のマークを付したり、建造物の外形表示により目的地点を表示して案内を行っている。例えば、東京駅を出発地としてサンシャインビルまで経路案内する場合、名称入力、電話入力等でサンシャインビルを目的地点として設定すると、その周辺の地図が表示され、サンシャインビルの建物の位置に目的地点であることを示す旗印や丸印が付加され、或いはサンシャインビルの建物の外形が表示されてそこに至るまでの経路が探索され、これに沿ってナビゲーションが行われる。
【発明の開示】
【発明が解決しようとする課題】
【０００３】
しかしながら、旗印、丸印等の統一したマークで目的地点を表示したのでは、その地点がどのような地点であるのか、目的の施設がどのような施設であるのか一目で判別するのは容易ではなく、利用者にとっては不便であった。
【０００４】
また、平面地図で目的となる建造物を特定しようとすると、特に市街地等複数のビルが乱立する地域においては、平面における形状が似通ったものが多く、特定することが困難であることもある。また、目的となる建造物は見つけ出せたとしても、その建物内で目的とする施設、入居者の情報までは確認できない。特に、建造物が高層である場合にはどの階に目的となる施設があり、入居者がいるのか分かり難い。
【０００５】
本発明は上記課題を解決するためのもので、建造物に含まれる施設、入居者の情報を容易に認識することができる情報案内装置を提供することを目的とする。
【課題を解決するための手段】
【０００６】
本発明の建造物形状地図による情報案内装置は、建造物毎に形状を表す座標列、高さ情報、詳細情報とを有する建造物形状地図情報を記憶する記憶手段と、該記憶手段に記憶された建造物形状地図情報に基づいて建造物形状地図を表示する建造物形状地図表示制御手段と、該表示された建造物形状地図上の建造物を指定する建造物指定手段と、該建造物指定手段により指定された建造物の前記詳細情報から該建造物に含まれる施設の名称を読み出して読み出された施設の名称リストを作成し、画面分割して一方の画面に名称リストを、他方の画面に指定された建造物を含む建造物形状地図を表示する表示処理手段と、前記表示処理手段により一方の画面に表示された名称リストから施設の名称を選択する選択手段とを備え、前記表示処理手段は、前記選択手段により選択された施設が建造物において存在する階を文字表示することを特徴とする。
また、本発明は、建造物毎に形状を表す座標列、高さ情報、詳細情報とを有する建造物形状地図情報を記憶する記憶手段と、該記憶手段に記憶された建造物形状地図情報に基づいて建造物形状地図を表示する建造物形状地図表示制御手段と、該表示された建造物形状地図上の建造物を指定する建造物指定手段と、該指定された建造物の詳細情報を読み出し、建造物に含まれる施設が複数の場合には、建造物に含まれる複数の施設の名称リストを作成して表示し、建造物に含まれる施設が１つの場合には、該施設の名称、電話番号、住所を表示する表示処理手段を有することを特徴とする。
また、本発明は、建造物毎に形状を表す座標列、高さ情報、詳細情報とを有する建造物形状地図情報を記憶する記憶手段と、該記憶手段に記憶された建造物形状地図情報に基づいて建造物形状地図を表示する建造物形状地図表示制御手段と、該表示された建造物形状地図上の建造物を指定する建造物指定手段と、前記記憶手段に記憶された高さ情報に基づいて、指定された建造物を立体表示する立体表示制御手段と、前記立体表示された建造物において階を選択する選択手段と、該選択された階全体を立体表示された建造物において強調表示するとともに、前記詳細情報から該選択された階に含まれる施設の名称を読み出して読み出された施設の名称リストを作成して、名称リストを表示する表示処理手段を有することを特徴とする。
【発明の効果】
【０００７】
以上の説明から明らかなように、請求項１に記載の発明によれば、指定された建造物に含まれる施設をリスト表示し、リストから施設が選択されると、選択された施設が建造物において存在する階を文字表示するので、建造物において施設がどの階にあるのかを容易に知ることができる。
また、請求項２に記載の発明によれば、指定された建造物に含まれる施設が複数の場合には、建造物に含まれる複数の施設の名称リストを作成して表示し、建造物に含まれる施設が１つの場合には、施設の名称、電話番号、住所を表示するので、建造物に含まれる施設の情報を容易に確認することができる。
また、請求項３に記載の発明によれば、指定された建造物に含まれる施設が複数の場合、複数の施設の名称リストを作成して表示し、名称リストから施設の名称が選択されると、選択された施設の名称、電話番号、住所が表示されるので、建造物に含まれる施設の情報を容易に確認することができる。
また、請求項４に記載の発明によれば、指定された建造物を立体表示し、建造物において選択された階全体を立体表示された建造物において強調表示するとともに、選択された階に含まれる施設の名称リストを作成して、名称リストを表示するので、選択された階に含まれる施設を容易に確認することができる。
【発明を実施するための最良の形態】
【０００８】
以下、本発明の実施の１形態を図面を参照しつつ説明する。
【０００９】
図１は本発明に係る建造物形状地図による情報案内装置の実施の１形態を示す図、図２は本発明に係る建造物形状地図による情報案内装置による形状地図の表示案内処理を説明するための図、図３は建造物形状地図のデータ構造の例を示す図である。
【００１０】
図１において、記憶装置１００は、建築物（一般家屋、事務室用建造物、マンション、消防署、デパート、病院、駅等）、施設（塔、公園、遊園地、運動場等）、橋、道路その他各種の所謂建造物の形状を描画し表示するための建造物形状地図のデータ１００ａ、目的地点の表示形態を変化させて認識し易くするための表示形態変更データ１００ｂを記憶したものであり、さらに道路地図のデータ、建造物形状地図のデータ等を記憶したものであってもよい。建造物形状地図のデータ１００ａは、建造物の形状を描画し表示するための複数の座標値からなる座標列、その建造物の名称、番地（住所）、その建造物に属する各種情報、例えば種別、高さ、構成（入居者）、さらにその電話番号等の情報を有する。表示形態変更データ１００ｂは、後述する建造物形状地図において地点設定がされたときに、設定された建造物がマンション、個人宅、施設等の何れであるかの種別や面積等に応じて表示形態を変更するためのデータ（例えば、種別や面積に応じた異なるマーク等のデータ）、建造物の高さ方向、階も表示可能なデータ等からなっている。
【００１１】
中央処理装置２００は、記憶装置１００から表示範囲の建造物形状地図のデータを読み出して建造物の種別や高さ、その他の詳細情報（構成の規模等）から、座標列に基づき建造物の形状地図を描画表示し、その表示した建造物形状地図上で建造物が選択されると、記憶装置１００から表示形態変更データを読みだしてその建造物の表示形態を変化させて強調表示したり、立体表示し、その建造物に属する情報や周辺情報を検索し案内出力したり、逆に建造物に属する情報から建造物を中心とする形状地図を表示するものである。形状表示処理部２００ａは、例えば建造物の種別や高さ、構成の規模に基づいて建造物形状地図を描画し、また形状地図の上に、主要な形状物の名称を描画し表示する処理を行うものである。表示形態変更表示処理部２００ｂは、建造物の種別、面積等に応じて異なるマークを選択表示したり、また、立体表示処理等を行って描画し表示するものである。検索案内処理部２００ｃは、建造物に関する各種の情報、例えば建造物内に入居する会社や事務所、店舗等の名称のリスト、電話番号、その建造物の周辺に存在する同様の情報（周辺情報）を検索し案内したり、電話番号や名称から建造物を検索し形状地図で案内したりするものである。出力装置３００は、中央処理装置２００による建造物形状地図や、案内情報出力を表示するディスプレイ、印刷出力するプリンタ等である。入力指示装置４００は、建造物形状地図の出力範囲（地域）、地図上の建造物のエリア、建造物に関する情報案内、周辺情報の検索等の選択、指示を入力するものであり、例えば出力装置３００のディスプレイ画面に組み合わせたタッチパネル、ジョイスティックやマウス等のポインティングデバイス、リモコンが用いられる。
【００１２】
中央処理装置２００では、図２に示すように例えば選択された縮尺の道路地図を表示している状態で、建造物形状地図が選択されると（ステップＳ１）、まず、形状地図の表示処理を実行し（ステップＳ２）、その形状地図の上に建造物名称の表示処理を実行する（ステップＳ３）。その後、建造物に属する情報、例えばビルであれば、そのビル内に入居している店舗や事務所等、入居者の具体的な名称や業種、業務内容、電話番号等の情報に関して建造物形状地図による検索案内処理を実行する（ステップＳ５）。建造物の形状は、一般家屋やビル、その他の建築物であれば、その平面形状になり、公園や道路であればその平面地形になる。
【００１３】
地図データ記憶装置１００に記憶する建造物形状地図のデータ構造は、例えば図３（Ａ）に示すように建造物のデータ数Ｎの次にＮ個の各建造物のデータが記憶される。そして、各建造物のデータは、建造物の名称、番地（住所）、種別、建造物の形状、高さ、詳細の各情報からなる。名称は、建造物であればその名前、個人の家屋であればその居住者名、施設であればその施設名、道路であれば「中央通り」、「国道１号」のように道路種別や通り名であり、番地（住所）は、その建造物の番地である。建造物の形状は、形状を表す座標数ｎとその座標値（ｘ0 ，ｙ0 ）、（ｘ1 ，ｙ1 ）、………、（ｘn-1 ，ｙn-1 ）であり、種別は、一般の家屋、マンション、事務室用建造物、公共施設、道路、公園等の情報である。高さは、階数や高さ（ｍ）の情報である。そして詳細は、例えば貸室用建造物であれば各入居者に関する情報であり、名称数ｍと各入居者について、名称、電話番号、部屋番号、入居階数、分類（レストラン、コンビニ、……等の業種、事業内容）に関する情報である。したがって、図３（Ｂ）に示すように建造物の形状に関する情報として座標値を順に読み出して線で結び描画し表示することによって、例えばビルや家屋の平面形状や公園の地形を出力することができる。
【００１４】
次に、目的地点の表示形態の変更処理について図４により説明する。目的地点の表示形態の変更は、建造物形状地図において、設定された目的地点に対して行われる。建造物形状地図は、前述したように建造物形状地図のデータに形状データとして記憶された座標列を順に読み出して線で結ぶことにより描画し表示するものであり、例えば、図５（ａ）に示すような道路地図に対して図５（ｂ）に示すように建造物形状が表示される。
【００１５】
この建造物形状地図のデータは必ずしもあらゆる地域に対して準備されているとは限らない。そこで、目的地点を、座標や電話番号により入力すると、入力したｘ，ｙ座標を検索し、当該座標が建造物形状地図のある範囲か否か検索する（ステップＳ１１〜Ｓ１３）。建造物形状地図のある範囲であれば、建造物形状地図を表示し（Ｓ１４）、建造物形状地図のある範囲でなければ従来の道路地図を表示する（Ｓ１５）。そして、画面上でカーソルを移動し、カーソルが停止した地点の位置を検出し地点設定が行われる（Ｓ１６〜Ｓ１９）。建造物形状地図が表示されている場合は、入力した（ｘ，ｙ）座標に該当する建造物形状を検索し、検索した建造物の形状の種別、面積を判断し（Ｓ２０〜Ｓ２１）、表示形態を決定する（Ｓ２２）。従来の道路地図を表示した場合には、地点設定後、表示形態を決定する。
【００１６】
例えば、建造物形状地図が表示されている場合の表示形態について、マーク表示を例にとって図６、図７により説明する。
【００１７】
図６はマーク選択条件テーブルの１例を示し、例えば、階数が１階、２階、３〜５階、６階以上という条件に対してマークＮｏ．ａ〜ｄを対応させ、また、個人名や電話番号等の名称数０〜１、２、３〜１０、１１以上に対してマークＮｏ．ａ〜ｄを対応させ、面積（ｍ2 ）０〜１５０、１５１〜２５０、２５１〜６００、６０１〜１２００、１２０１以上に対してマークＮｏ．ａ〜ｅを対応させる。
【００１８】
マークＮｏ．ａ〜ｅは、例えば、図７に示すようなマークテーブルでマークが登録されており、それぞれ個人宅平屋、個人宅２階建、アパート、マンション、別荘を意味するものとして登録されている。
【００１９】
したがって、検索した建造物の種類を判断し、例えば階数が３〜５階であればマーク選択条件テーブルを参照してマークＮｏ．ｃが分かり、これにより図７のマークテーブルを参照してアパートを示すマークが呼び出されて表示される。また、検索した建造物の名称数が１１以上であればマーク選択条件テーブルよりマークＮｏ．ｄが分かり、マークテーブルを参照してマンションを示すマークが表示される。また、検索した建造物の面積が１２０１ｍ2 以上であれば、マーク選択条件テーブルよりマークＮｏ．ｅが分かり、マークテーブルを参照して別荘のマークが表示される。
【００２０】
また、設定された建造物のみを表示して、他の建造物（ビル、家、工場等の建築物）の形状を形状地図表示上から消去する構成をとることにより、道路、川、線路等の土地に関する建造物と目的地点のみの表示となり、目的地点が強調されて表示されるとともに、道路、川、線路等は表示されているので目的地点の位置関係が明瞭に把握可能となる。
【００２１】
また、カーソルの位置を検出し、地点が設定された時には、該当する建造物を検索して、建造物の平面区画から中央処理装置により選択された立体形状のマークを表示させることにより、あたかも、その地点に建造物が建てられたかのように表示処理することにより、該当する建造物をより認識しやすくすることができる。
【００２２】
また、マーク表示に限らず、図８のＡとして示すように、該当する建造物を立体表示することにより認識し易くするようにしてもよい。
【００２３】
次に、建造物形状地図を利用した検索・案内について説明する。図９は建造物形状地図による検索案内処理を説明するための図、図１０は建造物形状地図による建造物選択操作時の画面の例を示す図、図１１は情報表示画面の例を示す図、図１２は建造物形状地図による情報の案内画面の例を示す図、図１３は建造物の周辺情報検索のリスト表示画面の例を示す図、図１４はジャンル検索画面の例を示す図である。
【００２４】
上記のようにして表示された建造物形状地図を利用すると、図３で説明したデータに基づきその建造物だけでなく、その周辺の情報についても検索することができ、さらに、各建造物内の情報の案内を行うことができる。例えば建造物形状地図では、その中央に図１０に示すような○に十の字のカーソルが表示され、入力指示手段から、建造物選択の指示を入力することによって、その建造物が選択される。したがって、検索・案内処理では、図９に示すようにこの建造物選択があるのを待ち（ステップＳ４１）、建造物選択があると、図１０に示すように目的地や通過点、メモリ、インフォメーション、周辺情報検索の各モードの選択肢を表示する（ステップＳ４２）。目的地や通過点、メモリは、後述する車両用ナビゲーション装置に本発明を組み込んだ場合に、経路探索のための地点設定に使うものであり、ここでは説明を省略し、以下、インフォメーション、周辺情報検索の各モードに限って説明する。
【００２５】
そこで、選択キーがインフォメーションか、周辺情報検索かを調べ（ステップＳ４３）、図１０に示すようにインフォメーションの欄が選択された場合には、該当する建造物データの詳細情報の名称数と各名称を読み込んで五十音順に名称のリストを作成し、それらの情報を図１１に示すように表示する（ステップＳ４４）。そして、その中の名称欄の１つ、例えば図１１に示すようにアイウエ株式会社が選択されると（ステップＳ４５）、建造物データから番地（住所）、その選択された名称、電話番号、分類等を読み込んで図１２に示すようにアイウエ株式会社の名称と電話番号と住所を表示する（ステップＳ４６）。なお、この画面に表示された戻り、目的地、通過点、メモリは操作キーであり、このような他の操作キーが選択されると、割り込みによりそれぞれの処理を実行する。また、名称欄の選択以外の指示の場合にも、同様にその指示に対応する他の処理を割り込み実行する。
【００２６】
ステップＳ４３において、周辺情報検索の欄が選択された場合には、まず、図１３に示すように周辺情報の検索範囲を特定するために「繊維・織物の製造、販売」、「繊維・織物の染色、デザイン」、……等のジャンルリスト（分類のリスト）を表示する（ステップＳ４７）。そして、ある分類欄が選択されると（ステップＳ４８）、その選択された分類をデータの詳細情報から検索し、選択されている建造物との距離を求め（ステップＳ４９）、検索された所定距離以内の名称を距離の短い順にソートし、図１４に示すようにそのジャンル名と件数、そして検索された各名称と検索地点からの距離のリストを表示する（ステップＳ５０）。この名称欄の１つが選択されると（ステップＳ５１）、図１２の場合と同様に建造物データから番地（住所）、その選択された名称、電話番号、分類等を読み込んでこれらを表示する（ステップＳ５２）。ここで、戻りのキーが入力されると、この建造物を中心とする周辺の建造物形状地図を表示する。勿論、図示しない他のキーを用いて建造物形状地図を表示したり、道路地図等他の地図に切り換えるようにしてもよい。ステップＳ４８において分類欄の選択以外の指示、ステップＳ５１において名称欄の選択以外の指示の場合には、その指示に対応する他の処理を割り込み実行する。
【００２７】
次に、建造物を立体表示する例について説明する。
【００２８】
図１５は、入力指示手段で選択した建物の形状を３次元表示する検索・案内処理フローを説明する図である。
【００２９】
図９の場合と同様に、入力指示手段からの建造物選択があるのを待ち（ステップ６１）、建造物選択があると、図１０に示したように、目的地や通過点、メモリ、インフォメーション、周辺情報検索の各モードの選択肢を表示する（ステップ６２）。次いで、選択キーがインフォメーションか、周辺検索かを調べ（ステップ６３）、周辺検索が選択された場合には、図９のステップ４７の処理にジャンプして同様の処理がなされる。
【００３０】
次に、選択された建造物が高さ情報を有していて、テナントが複数ある場合を示す図１６を参照しながら説明する。
【００３１】
図１６（ａ）はインフォメーションを選択した画面を示しており、建造物形状地図上に選択肢が表示されており、インフォメーションの選択で、該当する建造物データの詳細情報の名称数と各名称を読み込み名称のリストを作成して図１６（ｂ）に示すように画面分割して表示する（ステップ６４）。次いで、リスト表示はそのままの状態で、図１６（ｃ）に示すように、建造物形状を３次元表示し（ステップ６５）、次いで、リスト中のカーソル位置の建造物の階を強調表示する（ステップ６６）。このとき、リスト項目をカーソルで選択することにより、図１６（ｄ）に示すように、選択項目の階が強調表示される。次いで、名称欄の選択があると、図１６（ｆ）に示すように、建造物データの番地、選択された名称、電話番号、分類、店のジャンル、業種等の詳細情報等を読み込んで表示する（ステップ６７、ステップ６８）。また、図１６（ｆ）の状態において、リターンキーを操作すると、図１６（ｅ）の画面に戻る。また、建造物の階の階調表示をカーソルの上下操作により移動させることができ、リストには現在階調表示さている階に含まれるテナント或いは個人宅等が表示される。
【００３２】
また、テナントが１つの場合を図１７を参照して説明すると、図１７（ａ）でインフォメーションを選択すると、建造物データの詳細情報の名称数と各名称を読み込んで名称のリストを作成し、画面分割して表示する処理が行われる。この場合、テナントが１つなので、図１７（ｂ）に示すように、その名称、電話番号、住所等が表示される。次いで、リスト表示はそのままの状態で、図１７（ｃ）に示すように、建造物形状を３次元表示し、建造物の２階（テナント階）を強調表示する。なお、建造物の３次元表示方法については、例えば、特開平９ー６２１７９号に示される方法を用いる。
【００３３】
なお、高さ情報がない場合には、当然、３次元表示は行われないが、その他の処理は同様である。
【００３４】
図１８は電話番号や名称入力で選択した建物の形状を３次元表示する検索・案内処理フローを説明する図である。
【００３５】
電話番号或いは名称（５０音）で目的地点を入力すると、該当する地点データが検索される（ステップ７１、ステップ７２）。この検索で建造物形状のデータがあれば、建造物形状を３次元表示する（ステップ７３、ステップ７４）。次いで、図１６で説明したと同様に、リスト中のカーソル位置の建造物の階を強調表示した後、入力地点の詳細情報を表示する。
【００３６】
なお、上記の例においては、名称のリストを画面分割して表示するようにしたが、画面分割せずに、リストを地図表示に重ねて別ウインドウで表示するようにしてもよい。また、上記の例においては、詳細情報のリストの項目をカーソルで選択することにより、選択項目の階を強調表示するようにしたが、逆に、立体表示された建物の階をカーソルで選択して強調表示し、選択されている階に含まれるテナントをリスト表示してその中から選択するようにしてもよい。また、強調表示の方法としては、太線表示、塗りつぶし表示、色分け表示、点滅表示等適宜採用すればよい。また、立体表示で階を強調表示するとともに、文字で強調表示した階数を表示してもよい。
【００３７】
次に、図１９〜図２１により３次元表示処理の例について説明する。
【００３８】
図１９は建造物の３次元表示処理フローの例を示す図、図２０は建造物形状地図、図２１はフロアの高さを一定にして建造物を立体表示する例を示す図、図２２は建造物の高さを一定にしてフロアの高さを可変にして表示する例を示す図、図２３は図２２の表示方法を説明する図である。
【００３９】
図１９において、建造物形状地図データから建造物の高さを検索し（ステップ８１）、検索した高さが、一定の表示縮尺で画面内で表示可能か否か判断する（ステップ８２）。画面内で表示可能であれば１階あたりの高さを固定して建造物を立体化し（ステップ８３）、次いで、平面地図を傾けて建造物を立体表示する（ステップ８５、ステップ８６）。例えば、図２０に示すような市街の平面地図において、選択された建造物を図２１に示すように１階あたりの高さを固定して平面地図を傾けて立体表示する。図２１（ａ）は１階建ての場合、図２１（ｂ）は２階建ての場合を示しており、該当する階が強調表示されている。
【００４０】
また、図１９のステップ８２において、画面内で表現できない場合には、建造物の高さは最大値で固定し、１階あたりの高さを変更し（ステップ８４）、同様に平面地図を傾けて立体表示する。例えば、図２２（ａ）は２０階建て、図２２（ｂ）は４０階建ての場合であり、該当する階（図２２（ａ）は８階、図２２（ｂ）は１９階）が強調表示されている。この表示方法は、図２３に示すように、建物の高さｈが所定以上の場合には、高さｈを破線で示す設定枠の高さｌ1 に一致させ、建物の表示幅は設定枠の幅ｌ2 内におさまるように表示する。この場合は、設定枠に収まるような表示縮尺で表示したことになる。
【００４１】
なお、建造物を３次元表示する方法は、上記の例に限定されるものではなく、上から見下ろした鳥瞰表示や建物を水平方向に倒して横方向から見ることができるような表示としてもよい。また、表示縮尺は、一定縮尺でもよいが、一定縮尺で表示すると、建物の大きさにより見づらい場合があるので、建物の高さに応じて見やすい大きさとなるように表示縮尺を変えるようにしてもよい。また、建物の部分のみを拡大表示するようにしてもよいし、建造物形状地図は残しつつ別枠で建物を拡大表示するようにしてもよい。
【００４２】
本発明の建造物形状地図による情報案内装置を利用すると、建造物形状地図から、その建造物の中に入居する会社や事務所、店舗、各種機関等の情報、さらには、その個別の会社の電話番号等を調べることができ、また、その建造物から一定の範囲内にある様々な会社や店舗、各種機関等を検索してリストアップし、その建造物を調べることができる。逆に、電話番号や名称を入力して、その名称、電話番号を図３に示した地図データの名称、詳細情報の名称や電話番号から検索することによって、その建造物を中心とする建造物形状地図を表示することも容易に行える。したがって、名称や分類に関する情報と大体の地域は判るが、建造物が判らない場合に、その建造物、例えば入居しているビルを検索することができ、また、あるビルに入居しているテナントを案内することもできるので、これを車両用ナビゲーション装置の地点設定等に利用すると、都市部での地点設定が容易になるというメリットがある。さらに、建造物の１つとして道路を対象とした場合、道路に関する情報としてパーキングメータの有無を提供できるようにすれば、車で行動する際の駐車に関する情報を提供することもできる。以下に、本発明に係る建造物形状地図による情報案内装置を利用することのできる車両用ナビゲーション装置の構成例を説明する。
【００４３】
図２４は本発明に係る建造物形状地図による情報案内装置を組み込んだ車両用ナビゲーション装置の１実施例構成を示す図である。
【００４４】
本発明に係る車両用ナビゲーション装置は、図２４に示すように経路案内に関する情報を入出力する入出力装置１、自車両の現在位置に関する情報を検出する現在位置検出装置２、経路の算出に必要なナビゲーション用データや経路案内に必要な表示／音声の案内データとプログラム（アプリケーション及び／又はＯＳ）等が記録されている情報記憶装置３、経路探索処理や経路案内に必要な表示／音声案内処理を行うと共に、システム全体の制御を行う中央処理装置４から構成されている。そして、入出力装置１に図１の入力指示装置４００と出力装置３００が組み込まれ、情報記憶装置３に図１の記憶装置１００が組み込まれ、中央処理装置４に図１の中央処理装置２００が組み込まれている。まず、それぞれの構成について説明する。
【００４５】
入出力装置１は、目的地を入力したり、運転者が必要な時に案内情報を音声および／または画面により出力できるように、運転者の意志によりナビゲーション処理を中央処理装置４に指示すると共に、処理後のデータなどをプリント出力する機能を備えている。その機能を実現するための手段として、入力部には、目的地を電話番号や地図上の座標などにて入力したり、経路案内をリクエストしたりするタッチスイッチ１１や操作スイッチを有する。勿論、リモートコントローラ等の入力装置でもよい。また、出力部には、入力データを画面表示したり、運転者のリクエストに応じ自動的に経路案内を画面で表示するディスプレイ１２、中央処理装置４で処理したデータや情報記憶装置３に格納されたデータをプリント出力するプリンタ１３および経路案内を音声で出力するスピーカ１６などを備えている。
【００４６】
ここで、音声入力を可能にするための音声認識装置やＩＣカードや磁気カードに記録されたデータを読み取るための記録カード読み取り装置を付加することもできる。また、ナビゲーションに必要なデータを蓄積し、運転者の要求により通信回線を介して情報提供する情報センターや、予め地図データや目的地データなどの運転者固有のデータが記憶されている手帳型電子装置などの情報源との間でデータのやりとりを行うためのデータ通信装置を付加することもできる。
【００４７】
ディスプレイ１２は、カラーＣＲＴやカラー液晶表示器により構成されており、中央処理装置４が処理する地図データや案内データに基づく経路設定画面、区間図画面、交差点図画面などナビゲーションに必要なすべての画面をカラー表示出力すると共に、本画面に経路案内の設定および経路誘導中の案内や画面の切り換え操作を行うためのボタンが表示される。特に、通過交差点名などの通過交差点情報は、随時、区間図画面にポップアップでカラー表示される。
【００４８】
このディスプレイ１２は、運転席近傍のインストルメントパネル内に設けられており、運転者は区間図を見ることにより自車両の現在地を確認し、またこれからの経路についての情報を得ることができる。また、ディスプレイ１２には機能ボタンの表示に対応してタッチスイッチ１１が設けられており、ボタンをタッチすることにより入力される信号に基づいて上記の操作が実行されるように構成されている。このボタンとタッチスイッチなどから構成される入力信号発生手段は入力部を構成するものであるが、ここではその詳細な説明を省略する。
【００４９】
現在位置検出手段２は、車両の現在位置衛星航法システム（ＧＰＳ）を利用して情報を入手するＧＰＳ受信装置２１と、ＦＭ多重放送、電波ビーコン、光ビーコン等を利用して情報を入手するためのＶＩＣＳ情報受信装置２２と、携帯電話、パソコン等を利用することにより、情報センター（例えばＡＴＩＳ）や他車両と情報を双方向に通信するためのデータ送受信装置２３と、車両の進行方位を、例えば地磁気を利用することにより絶対方位で検出する絶対方位センサ２４と、車両の進行方位を、例えばステアリングセンサ、ジャイロセンサを利用することにより相対方位で検出する相対方位センサ２５と、例えば車輪の回転数から車両の走行距離を検出する距離センサ２６とから構成され、車両の走行に関する情報である例えば道路情報、交通情報を送受信したり、車両の現在位置に関する情報を検出したり、さらに現在位置に関する情報を送受信したりする装置である。
【００５０】
情報記憶装置３は、ナビゲーション用のプログラム及びデータを記憶した外部記憶装置で、例えば磁気テープ、磁気ディスク、プロッピィディスク、ＣＤ−ＲＯＭ、ＤＶＤ、光ディスク、ＩＣカード等からなっている。プログラムは、経路探索などの処理を行うためのプログラム、本実施例記載のフローチャートに示される処理プログラムや経路案内に必要な表示出力制御、音声案内に必要な音声出力制御を行うためのプログラム及びそれに必要なデータ、さらには経路案内及び地図表示に必要な表示情報データが格納されている。また、データは、地図データ、探索データ、案内データ、マップマッチングデータ、目的地データ、登録地点データ、道路データ、ジャンル別データ、ランドマークデータ等のファイルからなり、ナビゲーション装置に必要なすべてのデータが記憶されている。この地図データに経路案内のための道路地図や建造物形状地図とともに本発明の建造物形状地図のデータを含んでいる。なお、本発明は、ＣＤ−ＲＯＭにはデータのみ格納し、プログラムは中央処理装置に格納するタイプのものにも適用可能である。
【００５１】
中央処理装置４は、種々の演算処理を実行するＣＰＵ４０、情報記憶装置３のＣＤ−ＲＯＭからプログラムを読み込んで格納するフラッシュメモリ４１、フラッシュメモリ４１のプログラムチェック、更新処理を行うプログラム（プログラム読み込み手段）を格納したＲＯＭ４２、設定された目的地の地点座標、道路名コードＮｏ．等の探索された経路案内情報や演算処理中のデータを一時的に格納するＲＡＭ４３、ディスプレイへの画面表示に使用する画像データが記憶された画像メモリ４４、ＣＰＵ４０からの表示出力制御信号に基づいて画像メモリ４４から画像データを取り出し、画像処理を施してディスプレイに出力する画像プロセッサ４５、ＣＰＵからの音声出力制御信号に基づいて情報記憶装置３から読み出した音声、フレーズ、１つにまとまった文章、音等を合成してアナログ信号に変換してスピーカ１６に出力する音声プロセッサ４６、通信による入出力データのやり取りを行う通信インタフェース４７および現在位置検出装置２のセンサ信号を取り込むためのセンサ入力インタフェース４８、内部ダイアグ情報に日付や時間を記入するための時計４９などを備えている。ここで、経路案内は画面表示と音声出力で行い、音声出力の有無は、運転者が選択できるように構成されている。
【００５２】
なお、前記した更新処理を行うプログラムを外部記憶装置に格納しておいてもよい。
【００５３】
本発明に係るプログラム、その他ナビゲーションを実行するためのプログラムは全て外部記憶媒体であるＣＤ−ＲＯＭに格納されてもよいし、それらプログラムの一部または全てが本体側のＲＯＭ４２に格納されていてもよい。
【００５４】
また、本発明における機能が実現されるためのプログラムの全部又は一部、及びデータの全部又は一部を情報センタや他の車両からデータ送受信部２３を介して受信し、ナビゲーション装置内の記録媒体であるフラッシュメモリ４１やＲＡＭ４３に記憶させるようにしてもよい。
【００５５】
この外部記憶媒体に記憶されたデータやプログラムが外部信号としてナビゲーション装置本体の中央処理装置に入力されて演算処理されることにより、種々のナビゲーション機能が実現される。
【００５６】
本発明に係るナビゲーション装置は、上記のように外部記憶装置のＣＤ−ＲＯＭからプログラムを読み込むための比較的大容量のフラッシュメモリ４１、ＣＤの立ち上げ処理を行うプログラム（プログラム読み込み手段）を格納した小容量のＲＯＭ４２を内蔵する。フラッシュメモリ４１は、電源が切断しても記憶情報が保持される、つまり不揮発性の記憶手段である。そして、ＣＤの立ち上げ処理として、プログラム読み込み手段であるＲＯＭ４２のプログラムを起動してフラッシュメモリ４１に格納したプログラムチェックを行い、情報記憶装置３のＣＤ−ＲＯＭのディスク管理情報等を読み込む。プログラムのローディング処理（更新処理）は、この情報とフラッシュメモリ４１の状態から判断して行われる。
【００５７】
なお、本発明は、上記の実施例に限定されるものではなく、種々の変形が可能である。例えば上記の実施例では、建造物の名称として説明したが、これには町名その他の地区名も含めてもよい。全ての名称について処理するように説明したが、予め地図上に表示する優先度や表示の有無の情報を設定し、或いは名称に付加しておき、その情報に基づき名称を表示するように処理してもよいし、名称数が所定数以上のもの、所定高さ以上のものを対象として処理してもよい。また、ｘｙの座標列を建造物の形状を表すデータとしたが、高さ方向の座標値（ｚ）をも併せて３次元の座標データとして持ち、平面図で表す場合にはｘｙの座標列のみを用い、例えば斜め上から見た図やパースのような３次元形状図で表す場合にはｘｙｚの座標列を用いるようにしてもよい。さらに、本発明は、車両用ナビゲーション装置に組み込むことにより、より親切な地点案内を行うことができるものであるが、単に市街地や観光地等の案内のみに用い、その情報をプリント出力してサービスを行うようにしてもよいことをいうまでもない。
【産業上の利用可能性】
【００５８】
本発明によれば、建造物に含まれる施設、入居者の情報を容易に認識することができるので産業上の利用価値は極めて大きい。
【図面の簡単な説明】
【００５９】
【図１】本発明に係る建造物形状地図による情報案内装置の実施の１形態を示す図である。
【図２】本発明に係る建造物形状地図による情報案内装置による形状地図の表示案内処理を説明するための図である。
【図３】建造物形状地図のデータ構造の例を示す図である。
【図４】本発明の表示形態変更処理を説明するための図である。
【図５】建造物形状地図の例を説明するための図である。
【図６】マーク選択条件テーブルを示す図である。
【図７】マークテーブルを示す図である。
【図８】立体表示の例を説明するための図である。
【図９】建造物形状地図による検索案内処理を説明する図である。
【図１０】建造物形状地図による建造物選択操作時の画面の例を示す図である。
【図１１】情報表示画面の例を示す図である。
【図１２】建造物形状地図による情報の案内画面の例を示す図である。
【図１３】建造物の周辺情報検索のリスト表示画面の例を示す図である。
【図１４】ジャンル検索画面の例を示す図である。
【図１５】入力指示手段で選択した建物の形状を３次元表示する検索・案内処理フローを説明する図である。
【図１６】選択された建造物が高さ情報を有していて、テナントが複数ある場合の検索画面を示す図である。
【図１７】選択された建造物が高さ情報を有していて、テナントが１つの場合の検索画面を示す図である。
【図１８】電話番号／名称入力で選択した建物の形状を３次元表示する検索・案内処理フローを説明する図である。
【図１９】建造物の３次元表示処理フローの例を示す図である。
【図２０】建造物形状地図を示す図である。
【図２１】フロアの高さを一定にして建造物を立体表示する例を示す図である。
【図２２】建造物の高さを一定にしてフロアの高さを可変にして表示する例を示す図である。
【図２３】図２２の表示方法を説明する図である。
【図２４】本発明に係る建造物形状地図による情報案内装置を組み込んだ車両用ナビゲーション装置の１実施例構成を示す図である。
【符号の説明】
【００６０】
１００…記憶装置、２００…中央処理装置、３００…出力装置、４００…入力装置。
【図１】
2005099860.tif 000003
【図２】
2005099860.tif 000004
【図３】
2005099860.tif 000005
【図４】
2005099860.tif 000006
【図５】
2005099860.tif 000007
【図６】
2005099860.tif 000008
【図７】
2005099860.tif 000009
【図８】
2005099860.tif 000010
【図９】
2005099860.tif 000011
【図１０】
2005099860.tif 000012
【図１１】
2005099860.tif 000013
【図１２】
2005099860.tif 000014
【図１３】
2005099860.tif 000015
【図１４】
2005099860.tif 000016
【図１５】
2005099860.tif 000017
【図１６】
2005099860.tif 000018
【図１７】
2005099860.tif 000019
【図１８】
2005099860.tif 000020
【図１９】
2005099860.tif 000021
【図２０】
2005099860.tif 000022
【図２１】
2005099860.tif 000023
【図２２】
2005099860.tif 000024
【図２３】
2005099860.tif 000025
【図２４】
2005099860.tif 000026